(57)【要約】【課題】ステッキ、杖、登山用ストックに用いる杖先パッド構造を提供する。【解決手段】ステッキ、杖、登山用ストックに用いる杖先パッド構造は本体１０、弾性挟層２０、底層３０を有し、本体１０と底層３０の間に弾性挟層２０を設置することで、構造強度を保証するとの前提下で、使用者が各方向へステッキ、杖或いは登山用ストックを揺り動かしても、弾性挟層２０の設置により、底層３０の底面全体は、地面と接触し、滑り止め機能を保証し、こうして製品使用の安全性を高める。【選択図】図３
2020116344.tif 000002
【特許請求の範囲】
【請求項１】
ステッキ、杖、登山用ストックに用いる杖先パッド構造であって、本体、弾性挟層及び底層を有し、
前記本体の頂端には、嵌合接続孔を陥没状に設置し、
前記弾性挟層は、本体の底面上に密着固定され、
前記底層は、弾性挟層の底面上に密着固定される
ことを特徴とする、
ステッキ、杖、登山用ストックに用いる杖先パッド構造。
【請求項２】
前記弾性挟層はＥＴＰＵ材質で、前記本体、弾性挟層と底層は、粘着接続の方式を通して、重ねて一体に固定される
ことを特徴とする、
請求項１に記載のステッキ、杖、登山用ストックに用いる杖先パッド構造。
【請求項３】
前記本体と弾性挟層の間は、第一凸部と第一凹キャビティを通して、相互に嵌合して定位され、
前記弾性挟層と底層の間は、第二凸部と第二凹キャビティを通して、相互に嵌合して定位される
ことを特徴とする、
請求項１に記載のステッキ、杖、登山用ストックに用いる杖先パッド構造。
【請求項４】
前記底層の底面には、滑り止め模様を突出状に設置する
ことを特徴とする、
請求項１に記載のステッキ、杖、登山用ストックに用いる杖先パッド構造。
【発明の詳細な説明】
【技術分野】
【０００１】
本発明は杖先パッド領域技術に関し、特にステッキ、杖、登山用ストックに用いる杖先パッド構造に関する。
【背景技術】
【０００２】
ステッキ、杖と登山用ストックは一般的な歩行サポート工具である。
歩行の安全性を保証するため、ステッキ、杖と登山用ストックの底端には杖先パッドが設置されており、杖先パッドの滑り止め設計は非常に重要である。
従来の技術中でも、杖先パッド構造には、多種が存在する。
【０００３】
特許文献１に開示された「杖先パッド及びその応用の杖」において、杖は、杖本体、杖本体下端に取り付けられた杖先パッドを有する。
杖本体の下端部は、干渉対応の方式を通して、収容孔中に取り付けられる。
杖先パッドは、サポート盤、サポート盤上端面に真っ直ぐに設置される支柱を有する。
支柱の上端には、支柱軸方向に沿って延伸し、杖下端部を収容して設置する収容孔を開設する。
この種の杖先パッドは一体式構造である。
ステッキ、杖、登山用ストック使用の過程において、使用者がしばしば杖を揺らすことで、杖先パッドの底面の全体が地面と接触できず、滑り止め機能が影響を受け、使用における安全上の懸念となっている。
【０００４】
特許文献２に開示する「嵌め入れ式二層可動杖杖先パッド」は、内カバーと外カバーを有する。
内カバーと杖とは連接し、外カバーは、内カバー外に嵌められる。
内カバーと外カバーの材質は共に弾性材料である。
内カバーと杖とは挿接され、内カバー上には、相応の挿入孔が設置される。
内カバー外には、環状の凸起を設置する。
凸起は、内カバーの外面下部に位置し、外カバーと相互に連接する。
外カバーの開口位置には、相応の縮口構造を設置する。
外カバーの形状は、円柱構造或いはその他の外形である。
本特許文献では、外カバーは一体式外カバーで、内カバーを覆っていない。
そのため、使用者が杖を揺らすと、外カバーの底面全体と地面とは接触できず、滑り止め機能は影響を受け、こうして使用に安全上の懸念をもたらす。
【０００５】
特許文献３に開示する「杖」は包括柱部材、グリップ、底台を設置する。
柱部材下部には、ロッドを設置する。
伸縮ロッドは、上ロッド、下ロッド、緊密固定頭により構成される。
上ロッドの上端には、連接カバーを固設する。
上ロッド内には、バネ、第一フランジ、第二フランジ、ダンピングチャンバーを設置する。
下ロッド上端には、フランジを設置する。
ダンピングチャンバー内には、第一ピストン、第二ピストン、ピストンロッドを設置する。
ダンピングチャンバー内には、第一キャビティと第二キャビティを設置する。
底台は、上台体、下台体、フレキシブル連接頚部と滑り止めパッドにより構成される。
上記のこの種の底台（杖先パッドに相当）のフレキシブル連接部の外径は、上台体と下台体より小さいため、この種の構造強度は非常に弱く、同様に比較的大きい安全上の懸念が存在する。
【先行技術文献】
【特許文献】
【０００６】
【特許文献１】中国実用新案公告第ＣＮ２０４７６３７８８Ｕ号明細書
【特許文献２】中国特許公告第ＣＮ１０８５２３３３９Ａ号明細書
【特許文献３】中国実用新案公告第ＣＮ１０８５２３３３９Ａ号明細書
【発明の概要】
【発明が解決しようとする課題】
【０００７】
前記先行技術には、安全上の懸念が存在するという欠点がある。
【課題を解決するための手段】
【０００８】
本発明は杖先パッドの滑り止め機能及び構造強度が劣るという従来の技術に存在する欠点を解決できるステッキ、杖、登山用ストックに用いる杖先パッド構造に関する。
【０００９】
本発明によるステッキ、杖、登山用ストックに用いる杖先パッド構造は、本体、弾性挟層及び底層を有し、該本体の頂端には、嵌合接続孔を陥没状に設置し、該弾性挟層は、本体の底面上に密着固定される。
該底層は、弾性挟層の底面上に密着固定される。
【００１０】
好ましくは、該弾性挟層はＥＴＰＵ材質で、該本体、弾性挟層と底層は、粘着接続の方式を通して、重ねて一体に固定される。
【００１１】
好ましくは、該本体と弾性挟層の間は、第一凸部と第一凹キャビティを通して、相互に嵌合して定位され、該弾性挟層と底層の間は、第二凸部と第二凹キャビティを通して、相互に嵌合して定位される。
【００１２】
好ましくは、該底層の底面には、滑り止め模様を突出状に設置する。
【００１３】
本発明と従来の技術とを比較すると、以下の通り、明らかな長所と有益効果が存在する。
本体と底層の間に弾性挟層を設置することで、構造強度を保証するとの前提下で、使用者が各方向へステッキ、杖或いは登山用ストックを揺り動かしても、弾性挟層の設置により、底層の底面全体は、地面と接触し、滑り止め機能を保証し、こうして製品使用の安全性を高め、安全上の懸念の出現を減らすことができる。
【図面の簡単な説明】
【００１４】
【図１】本発明の第一実施形態の立体模式図である。
【図２】本発明の第一実施形態の別の角度の立体模式図である。
【図３】本発明の第一実施形態の断面図である。
【図４】本発明の第二実施形態の断面図である。
【発明を実施するための形態】
【００１５】
（一実施形態）
図１〜図３に示す通り、本発明の第一実施形態の具体構造は、本体１０、弾性挟層２０及び底層３０を有する。
【００１６】
本体１０の頂端には、嵌合接続孔１１を陥没状に設置する。
本実施形態中では、本体１０は、円台状で、嵌合接続孔１１の内底面中心には、凹位１２を陥没状に設置し、緩衝空間を提供する。
これにより、ステッキ、杖或いは登山用ストックと嵌合接続孔１１との連接は、さらに堅固となる。
【００１７】
弾性挟層２０は、本体１０の底面上に密着固定される。
底層３０は、弾性挟層２０の底面上に密着固定される。
本実施形態中では、弾性挟層２０と底層３０は共に円盤状を呈し、弾性挟層２０と底層３０の外径は共に、本体１０の最大外径と相同である。
底層３０の底面には、滑り止め模様３１を突出状に設置する。
【００１８】
本体１０と弾性挟層２０の間は、第一凸部１３と第一凹キャビティ２１を通して、相互に嵌合して定位される。
弾性挟層２０と底層３０の間は、第二凸部３２と第二凹キャビティ２２を通して、相互に嵌合して定位される。
本実施形態中では、本体１０の底面には、第一凸部１３を突出状に設置し、弾性挟層２０の表面には、第一凹キャビティ２１を陥没状に設置し、第一凸部１３は、第一凹キャビティ２１中に嵌め入れられる。
本実施形態中では、第一凸部１３は、本体１０の底面の中心に位置し、第一凹キャビティ２１は、弾性挟層２０の表面の中心に位置し、定位、支点及び連接の作用を生じる。
しかも、第一凸部１３の高さと第一凹キャビティ２１の深さは共に３ｍｍである。
弾性挟層２０の底面には、第二凹キャビティ２２を陥没状に設置し、底層３０の表面には、第二凸部３２を突出状に設置し、第二凸部３２は、第二凹キャビティ２２中に嵌め入れられる。
本実施形態中では、第二凸部３２は、底層３０の表面の中心に位置し、第二凹キャビティ２２は、弾性挟層２０の底面の中心に位置し、定位、支点及び連接の作用を生じる。
しかも、第二凸部３２の高さと第二凹キャビティ２２の深さは共に３ｍｍし、しかも弾性挟層２０の厚さは８-１０ｍｍである。
【００１９】
本体１０と底層３０は共にＴＰＥ材質で、弾性挟層２０はＥＴＰＵ材質である。
本体１０、弾性挟層２０と底層３０は、粘着接続の方式を通して重ねて一体に固定され、本体１０、弾性挟層２０と底層３０の堅固な連接を実現する。
【００２０】
本実施形態の使用方法は以下の通りである。
使用時には、ステッキ、杖或いは登山用ストックの下端を、嵌合接続孔１１に挿入して固定する。
ステッキ、杖或いは登山用ストックを使用する過程において、底層３０は地面に押し付けられ、しかも底層３０の底面全体と地面とは接触する。
この時、使用者は、各方向へステッキ、杖或いは登山用ストックを揺れ動かすことができ、弾性挟層２０の設置により、底層３０の底面全体は、地面と接触を保持し、製品使用の安全性を高めることができる。
【００２１】
図４に示す通り、本発明の第二実施形態の具体構造は、前記第一実施形態の具体構造と基本的に相同であるが、以下にその差異を記載する。
【００２２】
本実施形態中では、第一凹キャビティ２１と第二凹キャビティ２２は相互に上下に貫通し、第一凸部１３と第二凸部３２は相互に対応接続し、さらに好ましい定位、支点及び連接の作用を生じる。
【００２３】
前記した本発明の実施形態は本発明を限定するものではなく、よって、本発明により保護される範囲は後述される特許請求の範囲を基準とする。
【符号の説明】
【００２４】
１０  本体
１１  嵌合接続孔
１２  凹位
１３  第一凸部
２０  弾性挟層
２１  第一凹キャビティ
２２  第二凹キャビティ
３０  底層
３１  滑り止め模様
３２  第二凸部
【図１】
2020116344.tif 000003
【図２】
2020116344.tif 000004
【図３】
2020116344.tif 000005
【図４】
2020116344.tif 000006